(57)【要約】      （修正有）【課題】船体の軽量化を可能とするよう燃料タンクを配置した船舶を提供する。【解決手段】船体１１の後部にエンジン１３を搭載すると共に、船体１１の内部を隔壁により複数の区画Ａ，Ｂ、Ｃ，Ｄ，Ｅを形成し、船体１１の長手方向における中央部の区画Ｂ，Ｃの中央区画内に燃料タンク１４を配置してＬＮＧを貯留し、その他の区画Ａ、Ｄ、ＥおよびＢ，Ｃ，区画の中央区画以外の区画をカーゴタンクとして原油を貯留する。ＬＮＧを貯留する燃料タンクを船体における長手方向の中心位置付近に配置するので、船体の長手方向における中央部が下方に変形するような応力を受けにくくなり、船体の軽量化を可能とすることができる【選択図】図１
2012121401.tif 000002
【特許請求の範囲】
【請求項１】
船体に搭載されるエンジンと、
船体に搭載されて前記エンジンを駆動するための燃料としてのＬＮＧを貯留可能な燃料タンクと、
船体に形成される積荷区画と、
を備え、
前記燃料タンクは、前記船体における全長の中心位置から長手方向前方側へ船体全長の３５％の範囲または前記中心位置から長手方向後方側へ３０％の範囲に配置される、
ことを特徴とする船舶。
【請求項２】
前記燃料タンクは、一つまたは複数設けられ、少なくとも一つの前記燃料タンクが前記範囲に配置されることを特徴とする請求項１に記載の船舶。
【請求項３】
前記燃料タンクは、前記船体における幅方向の中心位置に配置されることを特徴とする請求項１または２に記載の船舶。
【請求項４】
前記燃料タンクは、前記船体における幅方向の両側の対称位置に配置されることを特徴とする請求項１または２に記載の船舶。
【請求項５】
前記燃料タンクは、前記船体の長手方向に沿って配置され、前記複数の燃料タンクが前記船体の長手方向に直列に配置されることを特徴とする請求項２から４のいずれか一つに記載の船舶。
【請求項６】
前記積荷区画は、前記船体の長手方向に沿って直列に配置される３つ以上の区画であり、少なくとも一つの前記燃料タンクは、最前方位置の前記区画と最後方位置の前記区画を除く前記区画に配置されることを特徴とする請求項１から５のいずれか一つに記載の船舶。
【発明の詳細な説明】
【技術分野】
【０００１】
本発明は、タンカー、旅客船、フェリー、コンテナ船、ＲＯ−ＲＯ船（Roll-on/Roll-off Ship）、自動車専用船としてのＰＣＣ（Pure Car Carrier）、ＰＣＴＣ（Pure Car / Truck Carrier）などの一般的な船舶に関するものである。
【背景技術】
【０００２】
例えば、タンカーは、複数のカーゴタンクが区画され、内部に原油などが貯留可能となっている。そして、後端部にエンジンが搭載されると共に、このエンジンの周囲に燃料タンクが搭載され、燃料としての重油などが貯留されている。
【０００３】
このような燃料タンクの配置構造としては、下記特許文献１、２に記載されたものがある。この特許文献１に記載されたものは、船倉の側方に設けられた上部タンク内にこの上部タンク内を船体外板側に位置する外部タンクと船体の中心側に位置する内部タンクに分割する側方隔壁を設け、内部タンクに燃料タンクを配設したものである。特許文献２に記載されたものは、船倉間に設けられた上部タンク内に燃料タンクを配置したものである。
【先行技術文献】
【特許文献】
【０００４】
【特許文献１】特開２００６−２４８２５７号公報
【特許文献２】特開２００６−２４８４５５号公報
【発明の概要】
【発明が解決しようとする課題】
【０００５】
上述した従来のタンカーでは、後端部にエンジン及び燃料としての重油が貯留される燃料タンクが配置され、その前方に原油が貯留される複数のカーゴタンクが配置されている。そのため、原油が満載される場合、船体における長手方向（前後方向）の中央部が下方に変形するような応力を受ける。その結果、船級協会規則や国際規則で定められる船体の縦強度を満足させるため、船殻構造を補強するために船体強度部材を大型化する必要から、船体の重量増加、構造の複雑化、高コスト化を招いてしまう。なお、上述した各特許文献では、燃料タンクを船体の中央付近に配置しているものの、この燃料タンクに充填される燃料が重油であることから、軽量化が図られず、船体の中央部が下方に変形するような応力を受け、船殻構造を補強しなければならない。
【０００６】
本発明は、上述した課題を解決するものであり、船体の軽量化を可能とする船舶を提供することを目的とする。
【課題を解決するための手段】
【０００７】
上記の目的を達成するための本発明の船舶は、船体に搭載されるエンジンと、船体に搭載されて前記エンジンを駆動するための燃料としてのＬＮＧを貯留可能な燃料タンクと、船体に形成される積荷区画と、を備え、前記燃料タンクは、前記船体における全長の中心位置から長手方向前方側へ船体全長の３５％の範囲または前記中心位置から長手方向後方側へ３０％の範囲に配置される、ことを特徴とするものである。
【０００８】
従って、積荷に対して軽量となるＬＮＧが貯留される燃料タンクが船体における長手方向の中心位置の近傍に配置されることで、船体の長手方向における中央部の軽量化が可能となり、この中央部が下方に変形するような応力を受けにくくなり、船殻構造の大型化を抑制することで、船体の軽量化を可能とすることができる。
【０００９】
本発明の船舶では、前記燃料タンクは、一つまたは複数設けられ、少なくとも一つの前記燃料タンクが前記範囲に配置されることを特徴としている。
【００１０】
従って、船体の長手方向における重量バランスと燃料タンクの使い勝手を考慮し、この燃料タンクを適正な位置に配置することができる。
【００１１】
本発明の船舶では、前記燃料タンクは、前記船体における幅方向の中心位置に配置されることを特徴としている。
【００１２】
従って、燃料タンクの周囲に積荷区画が配置されることとなり、衝突時における燃料タンクの破損を防止することができる。
【００１３】
本発明の船舶では、前記燃料タンクは、前記船体における幅方向の両側の対称位置に配置されることを特徴としている。
【００１４】
従って、中央部が下方に変形するような応力を受けにくくなり、船殻構造の大型化を抑制することで、船体の軽量化を可能とすることができる。
【００１５】
本発明の船舶では、前記燃料タンクは、その長手方向が前記船体の長手方向に沿って配置され、前記複数の燃料タンクが前記船体の長手方向に直列に配置されることを特徴としている。
【００１６】
従って、複数の燃料タンクを効率的に配置し、船内スペースの有効利用を図ることができる。
【００１７】
本発明の船舶では、前記積荷区画は、前記船体の長手方向に沿って直列に配置される３つ以上の区画であり、少なくとも一つの前記燃料タンクは、最前方位置の前記区画と最後方位置の前記区画を除く前記区画に配置されることを特徴としている。
【００１８】
従って、燃料タンクを最前方位置や最後方位置を除く位置に配置することで、船体の長手方向における中央部を軽量化して下方に変形するような応力の発生を効率的に抑制することができる。
【発明の効果】
【００１９】
本発明の船舶によれば、ＬＮＧを貯留する燃料タンクを船体における長手方向の中心位置付近に配置するので、船体の長手方向における中央部が下方に変形するような応力を受けにくくなり、船体の軽量化を可能とすることができる。
【図面の簡単な説明】
【００２０】
【図１】図１は、本発明の実施例１に係る船舶を表す側面図である。
【図２】図２は、実施例１の船舶を表す平面図である。
【図３】図３は、図１のIII−III断面を表す概略図である。
【図４】図４は、本発明の実施例２に係る船舶を表す側面図である。
【図５】図５は、実施例２の船舶を表す平面図である。
【図６】図６は、図４のVI−VI断面を表す概略図である。
【発明を実施するための形態】
【００２１】
以下に添付図面を参照して、本発明に係る船舶の好適な実施例を詳細に説明する。なお、この実施例により本発明が限定されるものではなく、また、実施例が複数ある場合には、各実施例を組み合わせて構成するものも含むものである。
【実施例１】
【００２２】
図１は、本発明の実施例１に係る船舶を表す側面図、図２は、実施例１の船舶を表す平面図、図３は、図１のIII−III断面を表す概略図である。
【００２３】
実施例１の船舶は、タンカーであり、図１乃至図３に示すように、船体１１は、後部にエンジンルーム１２が区画され、このエンジンルーム１２にエンジン１３が搭載されている。また、船体１１は、エンジンルーム１２を除く範囲が隔壁により複数の積荷区画が形成されている。即ち、船体１１は、前部から長手方向に５つの領域Ａ，Ｂ，Ｃ，Ｄ，Ｅが区画されると共に、幅方向に３つの領域１，２，３が区画されている。そのため、船体１１は、複数の区画Ａ１，Ａ２，Ａ３，Ｂ１・・・Ｄ３，Ｅ１，Ｅ２，Ｅ３が形成されることとなる。
【００２４】
そして、船体１１は、区画Ｂ２，Ｃ２にそれぞれ２つの燃料タンク１４が、合計で４つ配置されており、この区画Ｂ２，Ｃ２を除く区画Ａ１，Ａ２，Ａ３，Ｂ１，Ｂ３，Ｃ１，Ｃ３，Ｄ１・・・Ｅ３がカーゴタンクとなっている。この各燃料タンク１４は、エンジン１３を駆動するための燃料としてのＬＮＧ（Liquefied Natural Gas：液化天然ガス）を貯留可能であり、エンジン１３に図示しない燃料供給配管を介して連結されている。一方、カーゴタンク（区画）Ａ１，Ａ２，Ａ３，Ｂ１，Ｂ３，Ｃ１，Ｃ３，Ｄ１・・・Ｅ３は、原油を貯留可能となっている。
【００２５】
この場合、燃料タンク１４は、船体１１における全長（長手方向）の中心位置Ｏ１から長手方向前方側へ船体１１の全長の３５％の範囲または中心位置Ｏ１から長手方向後方側へ３０％の範囲に配置されることとなる。即ち、燃料タンク１４は、船体１１における長手方向（前後方向）の中心位置Ｏ１から前方側へ船体１１の全長の３５％の位置と、中心位置Ｏ１から後方側へ３０％の位置との間に配置される。なお、燃料タンク１４は、船体１１における長手方向の中心位置Ｏ１から前方側へ船体１１の全長の３０％の範囲または中心位置Ｏ１から後方側へ２０％の範囲に配置されることが好ましい。具体的に、燃料タンク１４は、複数（本実施例では、４個）設けられ、少なくとも一つの燃料タンク１４が上記した範囲に配置されている。本実施例では、積荷区画が船体１１の長手方向に沿って直列に配置される５つの領域Ａ，Ｂ，Ｃ，Ｄ，Ｅに区画され、燃料タンク１４は、最前方位置の領域Ａと最後方位置の領域Ｅを除く領域Ｂ，Ｃ，Ｄのいずれかの領域に配置されている。
【００２６】
また、燃料タンク１４は、船体１１における幅方向の中心位置Ｏ２に配置されている。そして、この燃料タンク１４は、長手方向の前後が閉塞した円筒形状をなし、その長手方向が船体１１の長手方向に沿って配置され、且つ、４個の燃料タンク１４が船体１１の長手方向に沿って直列に配置されている。
【００２７】
なお、船体１１は、外壁面及び底面と各区画Ａ１，Ａ２，Ａ３，Ｂ１・・・Ｄ３，Ｅ１，Ｅ２，Ｅ３との間にバラストタンク１５が設けられている。また、区画Ｂ２，Ｃ２は、上下に２分割されており、上部の区画に燃料タンク１４が配置され、下部の区画はカーゴタンクとなっている。
【００２８】
このように実施例１の船舶にあっては、船体１１の後部にエンジン１３を搭載すると共に、船体１１の内部に隔壁により複数の区画Ａ１，Ａ２，Ａ３，Ｂ１・・・Ｄ３，Ｅ１，Ｅ２，Ｅ３を形成し、船体１１の長手方向（前後方向）における中央部の区画Ｂ２，Ｃ２に燃料タンク１４を配置してＬＮＧを貯留し、その他の区画Ａ１，Ａ２，Ａ３，Ｂ１，Ｂ３，Ｃ１，Ｃ３，Ｄ１・・・Ｅ３をカーゴタンクとして原油を貯留している。
【００２９】
従って、原油を貯留しているカーゴタンク（区画）Ａ１，Ａ２，Ａ３，Ｂ１，Ｂ３，Ｃ１，Ｃ３，Ｄ１・・・Ｅ３に対して、軽量となるＬＮＧが貯留される燃料タンク１４が船体１１における長手方向の中央部の区画Ｂ２，Ｃ２に配置されることで、船体１１の長手方向における中央部の軽量化が可能となり、この中央部が下方に変形するような応力を受けにくくなる。その結果、船体１１は、十分な縦強度を確保することができ、船殻構造の大型化を抑制することで、船体１１の軽量化、構造の簡素化、低コスト化を可能とすることができる。
【００３０】
また、実施例１の船舶では、燃料タンク１４は複数設けられ、少なくとも一つが船体１１の長手方向における中央部に配置されている。従って、原油を貯留しているカーゴタンク（区画）Ａ１，Ａ２，Ａ３，Ｂ１，Ｂ３，Ｃ１，Ｃ３，Ｄ１・・・Ｅ３より軽量となるＬＮＧが貯留される燃料タンク１４が船体１１における中央部に配置されることで、船体１１の長手方向における適正な重量バランスを確保することができる。この場合、燃料タンク１４の使い勝手を考慮し、１つの燃料タンクをエンジン１３の近傍に配置してもよい。
【００３１】
また、実施例１の船舶では、燃料タンク１４を船体１１における幅方向の中心位置に配置している。従って、燃料タンク１４の周囲にカーゴタンク（区画）Ａ１，Ａ２，Ａ３，Ｂ１，Ｂ３，Ｃ１，Ｃ３，Ｄ１・・・Ｅ３が配置されることとなり、衝突時における燃料タンク１４の破損を防止することができる。
【００３２】
また、実施例１の船舶では、燃料タンク１４は、その長手方向が船体１１の長手方向に沿って配置され、複数の燃料タンク１４が船体１１の長手方向に直列に配置している。従って、複数の燃料タンク１４を効率的に配置し、船内スペースの有効利用を図ることができる。
【００３３】
また、実施例１の船舶では、船体１１の内部を長手方向に沿って直列に配置される５つの区画Ａ，Ｂ，Ｃ，Ｄ，Ｅに区画し、燃料タンク１４は、最前方位置の区画Ａと最後方位置の区画Ｅを除く区画Ｂ，Ｃ，Ｄに配置している。従って、船体１１の長手方向における中央部を軽量化して下方に変形するような応力の発生を効率的に抑制することができる。
【実施例２】
【００３４】
図４は、本発明の実施例２に係る船舶を表す側面図、図５は、実施例２の船舶を表す平面図、図６は、図４のVI−VI断面を表す概略図である。なお、上述した実施例と同様の機能を有する部材には、同一の記号を付して詳細な説明は省略する。
【００３５】
実施例２の船舶において、図４乃至図６に示すように、船体１１は、後部にエンジンルーム１２が区画され、エンジン１３が搭載されている。また、船体１１は、隔壁により複数の区画Ａ１，Ａ２，Ａ３，Ｂ１・・・Ｄ３，Ｅ１，Ｅ２，Ｅ３が形成されている。
【００３６】
そして、船体１１は、区画Ｃ１，Ｃ３にそれぞれ２つの燃料タンク１４が、合計で４つ配置されており、この区画Ｃ１，Ｃ２を除く区画Ａ１，Ａ２，Ａ３，Ｂ１，Ｂ２，Ｂ３，Ｃ２，Ｄ１・・・Ｅ３がカーゴタンクとなっている。この各燃料タンク１４は、エンジン１３を駆動するための燃料としてのＬＮＧを貯留可能である。一方、カーゴタンク（区画）Ａ１，Ａ２，Ａ３，Ｂ１，Ｂ２，Ｂ３，Ｃ２，Ｄ１・・・Ｅ３は、原油を貯留可能となっている。
【００３７】
この場合、燃料タンク１４は、船体１１における全長（長手方向）の中心位置Ｏ１から長手方向前方側へ船体１１の全長の３５％の範囲または中心位置Ｏ１から長手方向後方側へ３０％の範囲に配置されることとなる。具体的に、燃料タンク１４は、複数（本実施例では、４個）設けられ、少なくとも一つの燃料タンク１４が上記した範囲に配置されている。本実施例では、積荷区画が船体１１の長手方向に沿って直列に配置される５つの領域Ａ，Ｂ，Ｃ，Ｄ，Ｅに区画され、燃料タンク１４は、最前方位置の領域Ａと最後方位置の領域Ｅを除く領域Ｂ，Ｃ，Ｄのいずれかの領域に配置されている。
【００３８】
また、燃料タンク１４は、船体１１における幅方向の中心位置Ｏ２に対してその両側の対称位置に配置されている。そして、この燃料タンク１４は、長手方向の前後が閉塞した円筒形状をなし、各Ｃ１，Ｃ３にて、燃料タンク１４の長手方向が船体１１の長手方向に沿って配置され、且つ、各２個の燃料タンク１４が船体１１の長手方向に沿って直列に配置されている。
【００３９】
このように実施例２の船舶にあっては、船体１１の後部にエンジン１３を搭載すると共に、船体１１の内部を隔壁により複数の区画Ａ１，Ａ２，Ａ３，Ｂ１・・・Ｄ３，Ｅ１，Ｅ２，Ｅ３を形成し、船体１１の長手方向（前後方向）における中央部の区画Ｃ１，Ｃ３に燃料タンク１４を配置してＬＮＧを貯留し、その他の区画Ａ１，Ａ２，Ａ３，Ｂ１，Ｂ２，Ｂ３，Ｃ２，Ｄ１・・・Ｅ３をカーゴタンクとして原油を貯留している。
【００４０】
従って、原油を貯留しているカーゴタンク（区画）Ａ１，Ａ２，Ａ３，Ｂ１，Ｂ２，Ｂ３，Ｃ２，Ｄ１・・・Ｅ３に対して軽量となるＬＮＧが貯留される燃料タンク１４が船体１１における長手方向の中心部の区画Ｃ１，Ｃ３に配置されることで、船体１１の長手方向における中央部の軽量化が可能となり、この中央部が下方に変形するような応力を受けにくくなる。その結果、船体１１は、十分な縦強度を確保することができ、船殻構造の大型化を抑制することで、船体１１の軽量化、構造の簡素化、低コスト化を可能とすることができる。
【００４１】
また、実施例２の船舶では、燃料タンク１４は、船体１１における幅方向の中心位置Ｏ２に対してその両側の対称位置に配置されている。
【００４２】
なお、上述した各実施例では、船体１１の内部を前後に５つ、左右に３つ、上下に２つに分割したが、その分割方法は実施例に限定されるものではない。また、本発明は、少なくとも１つの燃料タンクが中央部の領域に配置されるものであり、複数の燃料タンクのうちの一つが中央部の領域に配置され、他の燃料タンクが中央部の領域以外に配置されてもよい。この場合、燃料タンクが一つのときは、この燃料タンクが中央部の領域に配置される。
【００４３】
また、本発明では、燃料タンク１４を船体１１における全長の中心位置Ｏ１から長手方向前方側へ船体全長の３５％の範囲またはこの中心位置Ｏ１から長手方向後方側へ３０％の範囲に配置するものであり、船内を複数の区画に区分けするものに限定されるものではない。従って、船舶の種類も、タンカーに限らず、旅客船、フェリー、コンテナ船、ＲＯ−ＲＯ船、自動車専用船などに適用することができる。
【００４４】
更に、上述した各実施例では、燃料タンク１４を、その長手方向が船体１１の長手方向に沿って配置し、複数の燃料タンク１４を船体１１の長手方向に直列に配置したが、この構成に限定されるものではない。例えば、燃料タンク１４を、その長手方向が船体１１の鉛直方向や幅方向などに沿って配置してもよく、複数の燃料タンク１４を船体１１の長手方向に限らず、鉛直方向や幅方向などに沿って配置してもよい。また、燃料タンク１４の形状も円筒形状に限らず、角筒形状、方形形状、球形形状など船体形状などに応じて適宜設定すればよいものである。
【００４５】
また、上述した各実施例では、船体１１の後部にエンジン１３を搭載したが、船体１１の長手方向における中央部にエンジンを搭載し、その周囲に燃料タンクを配置してもよい。
【産業上の利用可能性】
【００４６】
本発明は、船舶において、ＬＮＧの燃料タンクを船体における長手方向の中央部の範囲に配置することで、船体の軽量化を可能とするものであり、いずれの船舶に適用することができる。
【符号の説明】
【００４７】
１１  船体
１３  エンジン
１４  燃料タンク
Ａ１，Ａ２，Ａ３，Ｂ１，Ｂ２，Ｂ３，Ｃ１，Ｃ２，Ｃ３，Ｄ１，Ｄ２，Ｄ３，Ｅ１，Ｅ２，Ｅ３  区画
【図１】
2012121401.tif 000003
【図２】
2012121401.tif 000004
【図３】
2012121401.tif 000005
【図４】
2012121401.tif 000006
【図５】
2012121401.tif 000007
【図６】
2012121401.tif 000008